(57)【特許請求の範囲】
【請求項１】
蓄電池を有する電気自動車に接続されると共に前記蓄電池を充電する機能と前記蓄電池に放電させる機能とを有する充放電装置であって、
前記電気自動車の種類を示す車種情報と前記蓄電池についての充電及び放電を制御するための制御情報とを保存する記憶部と、
前記車種情報を受け付ける機能を有する受付部と、
前記電気自動車と通信を行って前記電気自動車の車種情報を入手して入手した前記車種情報と前記記憶部に予め保存されている前記車種情報及び前記制御情報の少なくとも一部とをもとに前記電気自動車の種類を判別する自動判別部と、前記自動判別部が前記電気自動車の種類を判別することができない場合に前記受付部によって受け付けられた前記車種情報が示す種類が前記電気自動車の種類であると判別する手動判別部とを有する車種判別部と、
前記車種判別部によって判別された前記電気自動車の種類と前記記憶部に記憶されている前記制御情報とをもとに前記蓄電池についての充電及び放電を制御する充放電制御部と
を備えることを特徴とする充放電装置。
【請求項２】
前記受付部は、前記制御情報を受け付ける機能を更に有する
ことを特徴とする請求項１に記載の充放電装置。
【請求項３】
前記電気自動車と異なる情報蓄積装置と通信を行って前記情報蓄積装置から前記車種情報及び前記制御情報を入手する通信部を更に備え、
前記記憶部は、前記通信部によって入手された前記車種情報及び前記制御情報を保存し、
前記車種判別部は、前記電気自動車と通信を行って前記電気自動車の車種情報を入手して入手した前記車種情報と前記記憶部に予め保存されている前記車種情報及び前記制御情報の少なくとも一部とをもとに、又は、前記通信部によって入手された前記車種情報及び前記制御情報をもとに、前記電気自動車の種類を判別する
ことを特徴とする請求項１又は２に記載の充放電装置。
【請求項４】
前記電気自動車の外観の画像情報を取得する画像取得部と、
前記画像取得部によって取得された前記画像情報をもとに前記電気自動車の種類を判別する車両認識部とを更に備え、
前記車種判別部は、前記車両認識部によって判別された前記電気自動車の種類を示す情報も合わせて、前記電気自動車の種類を判別する
ことを特徴とする請求項１から３のいずれか１項に記載の充放電装置。
【発明の詳細な説明】
【技術分野】
【０００１】
本開示は、電気自動車が有する蓄電池を充電する機能と蓄電池に放電させる機能とを有する充放電装置に関する。
【背景技術】
【０００２】
電気自動車用の充放電装置は電気自動車の普及により年々増加しており、新しい電気自動車と新しい充放電装置との組み合わせでは、新たな機能、新たなサービス及び最適な充放電制御が提供される。しかし、従来の電気自動車と従来の充放電装置との組み合わせでは、上記の新たな機能、新たなサービス及び最適な充放電制御が提供されない場合がある。このため、充放電装置は、提供することができるものを判断するために、電気自動車の種類を把握する必要がある。【０００３】
従来、充放電装置が電気自動車と通信を行って電気自動車の車種情報を取得し、電気自動車が制御対応車両であるか制御非対応車両であるかを充放電装置が判定するという技術が提案されている（例えば、特許文献１参照）。充放電装置に接続されている電気自動車を判別するための識別子を有する管理用車載器を用いて、インターネットを介して車両情報を取得する方法も提案されている（例えば、特許文献２参照）。
【先行技術文献】
【特許文献】
【０００４】
【特許文献１】特開２０１４−２２０９０６号公報
【特許文献２】特開２０１６−１０１００６号公報
【発明の概要】
【発明が解決しようとする課題】
【０００５】
しかしながら、従来の技術では、充放電装置と電気自動車との双方がデータの授受に対応している必要があり、世の中に既に提供された充放電装置及び電気自動車によっては、電気自動車の種類を判別することできない場合がある。そのため、従来の技術では、新しいサービスの提供又は最適な充放電制御を実施することができないという課題がある。【０００６】
本開示は、上記に鑑みてなされたものであって、接続された電気自動車と通信を行うことができない場合であっても、接続された電気自動車と通信を行うことができるものの当該電気自動車の種類を判別することができない場合であっても、接続された電気自動車の種類を判別する充放電装置を得ることを目的とする。
【課題を解決するための手段】
【０００７】
上述した課題を解決し、目的を達成するために、本開示にかかる充放電装置は、蓄電池を有する電気自動車に接続されると共に蓄電池を充電する機能と蓄電池に放電させる機能とを有する。充放電装置は、電気自動車の種類を示す車種情報と蓄電池についての充電及び放電を制御するための制御情報とを保存する記憶部と、車種情報を受け付ける機能を有する受付部と、車種判別部とを有する。車種判別部は、電気自動車と通信を行って電気自動車の車種情報を入手して入手した車種情報と記憶部に予め保存されている車種情報及び制御情報の少なくとも一部とをもとに電気自動車の種類を判別する自動判別部と、自動判別部が電気自動車の種類を判別することができない場合に受付部によって受け付けられた車種情報が示す種類が電気自動車の種類であると判別する手動判別部とを有する。充放電装置は、車種判別部によって判別された電気自動車の種類と記憶部に記憶されている制御情報とをもとに蓄電池についての充電及び放電を制御する充放電制御部を更に有する。
【発明の効果】
【０００８】
本開示にかかる充放電装置は、接続された電気自動車と通信を行うことができない場合であっても、接続された電気自動車と通信を行うことができるものの当該電気自動車の種類を判別することができない場合であっても、接続された電気自動車の種類を判別することができるという効果を奏する。
【図面の簡単な説明】
【０００９】
【図１】実施の形態１にかかる充放電装置の構成を示す図
【図２】実施の形態１にかかる充放電装置が充放電装置に接続される電気自動車の種類を判別するための初期動作の手順を示すフローチャート
【図３】実施の形態１にかかる充放電装置の受付部によって表示される第１の画像を示す図
【図４】実施の形態１にかかる充放電装置の受付部によって表示される第２の画像を示す図
【図５】実施の形態１にかかる充放電装置の受付部によって表示される第３の画像を示す図
【図６】実施の形態１にかかる充放電装置の受付部によって表示される第４の画像を示す図
【図７】実施の形態１にかかる充放電装置が電気自動車の種類を判別する動作の手順の例を示すフローチャート
【図８】実施の形態１の変形例にかかる充放電装置の受付部によって表示される第１の画像を示す図
【図９】実施の形態１の変形例にかかる充放電装置の受付部によって表示される第２の画像を示す図
【図１０】実施の形態１の変形例にかかる充放電装置の受付部によって表示される第３の画像を示す図
【図１１】実施の形態２にかかる充放電装置の構成を示す図
【図１２】実施の形態２にかかる充放電装置が電気自動車の種類を判別する動作の手順の例を示すフローチャート
【図１３】実施の形態３にかかる充放電装置の構成を示す図
【図１４】実施の形態３にかかる充放電装置の受付部によって表示されるひとつの画像を示す図
【図１５】実施の形態３にかかる充放電装置の受付部によって表示される別のひとつの画像を示す図
【図１６】実施の形態３にかかる充放電装置が電気自動車の種類を判別する動作の手順の例を示すフローチャート
【図１７】実施の形態１にかかる充放電装置が有する装置側制御部の少なくとも一部がプロセッサによって実現される場合のプロセッサを示す図
【図１８】実施の形態１にかかる充放電装置が有する装置側制御部の少なくとも一部が処理回路によって実現される場合の処理回路を示す図
【発明を実施するための形態】
【００１０】
以下に、実施の形態にかかる充放電装置を図面に基づいて詳細に説明する。
【００１１】
実施の形態１．
＜構成＞
図１は、実施の形態１にかかる充放電装置１の構成を示す図である。充放電装置１は、電気自動車８１に接続される。電気自動車８１は、蓄電池８１Ａを有する。図１には、蓄電池８１Ａを有する電気自動車８１も示されている。充放電装置１は、蓄電池８１Ａを充電する機能と蓄電池８１Ａに放電させる機能とを有する。
【００１２】
充放電装置１は、商用系統８２及び家庭内負荷８３の各々に電力線８４を介して接続されている。図１には、商用系統８２、家庭内負荷８３及び電力線８４も示されている。家庭内負荷８３は、交流電力をもとに動作する電気機器である。例えば、家庭内負荷８３は、エアーコンディショナ、給湯器、冷蔵庫、照明機器又はテレビジョンセットである。
【００１３】
充放電装置１は、交流電力を直流電力に変換する機能と直流電力を交流電力に変換する機能とを有する電力変換部２と、充放電装置１と電気自動車８１とを接続するためのケーブル３と、ケーブル３の電気自動車８１に接続される端部の側に設けられているコネクタ４とを有する。コネクタ４は、電気自動車８１に着脱可能である。充放電装置１が電気自動車８１に接続される場合、コネクタ４が電気自動車８１に接続される。
【００１４】
充放電装置１は、電気自動車８１が有する蓄電池８１Ａを充電する際の制御と蓄電池８１Ａに放電させる際の制御とを行う機能を有する装置側制御部５を更に有する。電気自動車８１は、蓄電池８１Ａの充電が行われる際の制御と蓄電池８１Ａの放電が行われる際の制御とを行うための車側制御部８１Ｂを更に有する。ケーブル３は、電力変換部２と蓄電池８１Ａとを接続するための電力線３Ａと、装置側制御部５と車側制御部８１Ｂとを接続するための通信線３Ｂとを有する。電力線３Ａの一端は電力変換部２に接続されており、通信線３Ｂの一端は装置側制御部５に接続されている。
【００１５】
充放電装置１が電気自動車８１に含まれている蓄電池８１Ａを充電する場合、充放電装置１はケーブル３及びコネクタ４によって電気自動車８１に接続され、電力変換部２は、商用系統８２から電力線８４を介して充放電装置１に供給される交流電力を直流電力に変換し、変換によって得られる直流電力を、電力線３Ａを介して蓄電池８１Ａに供給する。充放電装置１が蓄電池８１Ａに放電させる場合、充放電装置１はケーブル３及びコネクタ４によって電気自動車８１に接続され、電力変換部２は、蓄電池８１Ａから電力線３Ａを介して充放電装置１に供給される直流電力を交流電力に変換し、変換によって得られる交流電力を、電力線８４を介して家庭内負荷８３に供給する。
【００１６】
充放電装置１が蓄電池８１Ａを充電する場合の制御と、蓄電池８１Ａが放電する場合の制御とは、充放電装置１が有する装置側制御部５と電気自動車８１が有する車側制御部８１Ｂとによって行われる。更に言うと、装置側制御部５と車側制御部８１Ｂとは、通信線３Ｂを介して通信を行って充電時及び放電時の制御を行う。
【００１７】
装置側制御部５は、電気自動車８１の種類を示す車種情報と蓄電池８１Ａについての充電及び放電を制御するための制御情報とを保存する記憶部６を有する。例えば、記憶部６は半導体メモリによって実現される。なお、記憶部６は車種情報及び制御情報以外の情報も保存する。充放電装置１は、電気自動車８１の種類を示す車種情報を受け付ける機能を有する受付部７を更に有する。具体的には、ユーザが電気自動車８１の種類を示す車種情報を受付部７に入力し、受付部７はユーザによって入力された車種情報を受け付ける。例えば、受付部７はタッチパネル式液晶ディスプレイによって実現される。
【００１８】
受付部７によって受け付けられた車種情報は、例えば受付部７によって記憶される。受付部７が車種情報を記憶する場合、受付部７は車種情報を記憶するメモリを有する。例えば、当該メモリは半導体メモリである。充放電装置１が記憶部６と異なるメモリを有してもよく、充放電装置１が記憶部６と異なるメモリを有する場合、受付部７によって受け付けられた車種情報は、当該メモリによって記憶されてもよい。例えば、当該メモリは半導体メモリである。
【００１９】
ユーザは、充放電装置１を操作する場合、充放電装置１を操作するための情報を受付部７に入力する。受付部７はユーザによって入力された情報を受け付け、充放電装置１は、受付部７によって受け付けられた情報をもとに動作する。なお、受付部７はタッチパネル式液晶ディスプレイ以外の装置によって実現されてもよい。当該装置の例は、スイッチ、又は、有線通信機能若しくは近距離小電力無線通信機能を有するリモートコントローラである。
【００２０】
受付部７は、制御情報を受け付ける機能を更に有してもよい。受付部７によって受け付けられる制御情報は、ユーザが受付部７に入力する情報であって、受付部７又は記憶部６によって記憶される。受付部７が制御情報を記憶する場合、受付部７は制御情報を記憶するメモリを有する。例えば、当該メモリは半導体メモリである。
【００２１】
装置側制御部５は、電気自動車８１の種類を判別する車種判別部８を更に有する。車種判別部８は、電気自動車８１と通信を行って電気自動車８１の車種情報を入手して入手した車種情報と記憶部６に予め保存されている車種情報及び制御情報の少なくとも一部とをもとに電気自動車８１の種類を判別する自動判別部９を有する。車種判別部８は、自動判別部９が電気自動車８１の種類を判別することができない場合に受付部７によって受け付けられた車種情報が示す種類が電気自動車８１の種類であると判別する手動判別部１０を更に有する。
【００２２】
装置側制御部５は、車種判別部８によって判別された電気自動車８１の種類と記憶部６又は受付部７に記憶されている制御情報とをもとに蓄電池８１Ａについての充電及び放電を制御する充放電制御部１１を更に有する。充放電制御部１１は、制御情報をもとに電力変換部２を制御する。
【００２３】
電気自動車８１が有する車側制御部８１Ｂは、電気自動車８１の車種を示す情報である車種情報を管理すると共に、蓄電池８１Ａに関連する状態についての情報を管理する機能を有しており、充放電装置１が有する装置側制御部５に、通信線３Ｂを介して管理している情報を送信する。例えば、蓄電池８１Ａに関連する状態は、車両接続状態、蓄電池残量、満充電状態又は過放電状態である。車側制御部８１Ｂは、情報を管理するために、メモリを有する。例えば、当該メモリは半導体メモリである。
【００２４】
充放電装置１は、商用系統８２から供給される交流電力を受け取る状態と、電気自動車８１が有する蓄電池８１Ａから供給される直流電力をもとにする交流電力を家庭内負荷８３へ供給する状態とを切り替える開閉器を有する。開閉器は、図１には示されていない。
【００２５】
＜動作＞
次に、充放電装置１の動作を説明する。図２は、実施の形態１にかかる充放電装置１が充放電装置１に接続される電気自動車８１の種類を判別するための初期動作の手順を示すフローチャートである。初期動作は、充放電装置１の受付部７が車種情報を受け付ける動作を含む。以下では、受付部７がタッチパネル式液晶ディスプレイによって実現されていることと、受付部７がメモリを有していることとを想定する。加えて、充放電装置１の記憶部６が電気自動車８１の種類を示す車種情報と蓄電池８１Ａについての充電及び放電を制御するための制御情報とを既に記憶していることを想定する。
【００２６】
ユーザは、電気自動車８１の種類を判別する方法を選択する情報を充放電装置１に入力するために、当該情報を入力するための画像を受付部７に表示させるための指示を受付部７に入力する。受付部７は、ユーザによって入力された上述の指示をもとに、電気自動車８１の種類を判別する方法をユーザに選択させるための画像である車種判別方法の選択画像を表示する（Ｓ１）。図３は、実施の形態１にかかる充放電装置１の受付部７によって表示される第１の画像を示す図である。第１の画像は、記憶部６によって記憶されている情報をもとにする画像であって、電気自動車８１の種類を判別する方法をユーザに選択させるための画像である。
【００２７】
図３の車種判別方法の選択画像は、記憶部６が既に記憶している情報をもとに電気自動車８１の種類を判別する方法を選択させるための「自動選択」という文言が記載されているボタンを有する。車種判別方法の選択画像は、電気自動車８１の種類を示す車種情報をユーザに入力させて入力された車種情報をもとに電気自動車８１の種類を判別する方法を選択させるための「手動選択」という文言が記載されているボタンを更に有する。車種判別方法の選択画像は、「自動選択」という文言が記載されているボタンと、「手動選択」という文言が記載されているボタンとのうちのいずれかの選択をユーザに決定させるための「決定」という文言が記載されているボタンを更に有する。
【００２８】
受付部７は、電気自動車８１の種類を判別する方法を示す情報を受け付けて、当該方法が、記憶部６が既に記憶している情報をもとに電気自動車８１の種類を判別する方法であるか、電気自動車８１の種類を示す車種情報をユーザに入力させて入力された車種情報をもとに電気自動車８１の種類を判別する方法であるかを判断する（Ｓ２）。
【００２９】
例えば、充放電装置１が電気自動車８１の種類を適切に判別して蓄電池８１Ａについての充電及び放電の最適な制御が行われることが確かである場合、ユーザは、「自動選択」という文言が記載されているボタンを押下し、「決定」という文言が記載されているボタンを押下する。図３では、「自動選択」という文言が記載されているボタンは斜線を有する。当該斜線は、「自動選択」という文言が記載されているボタンが押下されたことを示している。
【００３０】
ユーザが「自動選択」という文言が記載されているボタンを押下すると、受付部７は、電気自動車８１の種類を判別する方法が、記憶部６が既に記憶している情報をもとに電気自動車８１の種類を判別する方法であると判断し（Ｓ２で自動判別）、記憶部６は、電気自動車８１の種類を判別する方法が、記憶部６が既に記憶している情報をもとに電気自動車８１の種類を判別する方法であることを示す情報を記憶する（Ｓ３）。図２では、ステップＳ３の動作は「自動判別を記憶」という文言で表現されている。
【００３１】
例えば、充放電装置１が電気自動車８１の種類を適切に判別することができない可能性がある場合、ユーザは、「手動選択」という文言が記載されているボタンを押下し、「決定」という文言が記載されているボタンを押下する。ユーザが「手動選択」という文言が記載されているボタンを押下すると、受付部７は、電気自動車８１の種類を判別する方法が、電気自動車８１の種類を示す車種情報をユーザに入力させて入力された車種情報をもとに電気自動車８１の種類を判別する方法であると判断し（Ｓ２で手動判別）、ユーザが車種情報を入力するための画像を表示する。図４は、実施の形態１にかかる充放電装置１の受付部７によって表示される第２の画像を示す図である。第２の画像は、記憶部６によって記憶されている情報をもとにする画像であって、車種情報をユーザが入力するための画像である。
【００３２】
図４の画像は、図３の画像に含まれているすべての構成要素に加えて、電気自動車８１のメーカを入力させるための「メーカ」という文言が記載されているボタンと、電気自動車８１の種類を入力させるための「車種」という文言が記載されているボタンとを更に有する。図４では、「手動選択」という文言が記載されているボタンは斜線を有する。当該斜線は、「手動選択」という文言が記載されているボタンが押下されたことを示している。図４では、「メーカ」という文言が記載されているボタン、及び「車種」という文言が記載されているボタンも、斜線を有する。図４の画像に含まれている「決定」という文言が記載されているボタンは、「メーカ」という文言が記載されているボタンと、「車種」という文言が記載されているボタンとのうちのいずれかの選択をユーザに決定させるためのボタンである。
【００３３】
ユーザは、電気自動車８１のメーカを示す情報を入力するために、「メーカ」という文言が記載されているボタンを押下し、「決定」という文言が記載されているボタンを押下する。ユーザが「メーカ」という文言が記載されているボタンを押下すると、受付部７は、ユーザが電気自動車８１のメーカを示す情報を入力するための画像を表示する。図５は、実施の形態１にかかる充放電装置１の受付部７によって表示される第３の画像を示す図である。第３の画像は、記憶部６によって記憶されている情報をもとにする画像であって、メーカを示す情報をユーザが入力するための画像である。
【００３４】
図５の画像は、「車両メーカの選択」という文言が記載されているフィールドと、「ＮＩＳＳＩＮ」という文言が記載されているボタンと、「ＴＯＫＯ工業」という文言が記載されているボタンと、「四丸自動社」という文言が記載されているボタンとを有する。「ＮＩＳＳＩＮ」、「ＴＯＫＯ工業」及び「四丸自動社」の各々は、メーカの例である。図５の画像は、上向きの矢印と、下向きの矢印とを更に有する。上向きの矢印及び下向きの矢印の各々は、図５において示されていないメーカに対応するボタンを受付部７に表示させるための図形である。図５の画像は、「決定」という文言が記載されているボタンを更に有する。図５の画像に含まれている「決定」という文言が記載されているボタンは、複数のメーカのうちのいずれかの選択をユーザに決定させるためのボタンである。
【００３５】
ユーザは、複数のメーカのうちのいずれかのメーカを示す文言が記載されているボタンを押下し、「決定」という文言が記載されているボタンを押下する。図５では、「ＴＯＫＯ工業」という文言が記載されているボタンに斜線が付加されている。当該斜線は、「ＴＯＫＯ工業」という文言が記載されているボタンが押下されたことを示している。受付部７は、複数のメーカのうちのユーザによって押下されたボタンに記載されているメーカを示す情報を受け付ける（Ｓ４）。図２では、ステップＳ４の動作は「メーカの選択の受付」という文言で表現されている。受付部７によって受け付けられたメーカを示す情報は、ユーザに入力される車種情報の一部である。受付部７は、メーカを示す情報を受け付けると、図４の画像を表示する。
【００３６】
ユーザは、電気自動車８１の種類を示す情報を入力するために、「車種」という文言が記載されているボタンを押下し、「決定」という文言が記載されているボタンを押下する。ユーザが「車種」という文言が記載されているボタンを押下すると、受付部７は、ユーザが電気自動車８１の車種を示す情報を入力するための画像を表示する。図６は、実施の形態１にかかる充放電装置１の受付部７によって表示される第４の画像を示す図である。第４の画像は、記憶部６によって記憶されている情報をもとにする画像であって、車種を示す情報をユーザが入力するための画像である。
【００３７】
図６の画像は、「車種の選択」という文言が記載されているフィールドと、「のぞみ」という文言が記載されているボタンと、「かなえ」という文言が記載されているボタンと、「たまえ」という文言が記載されているボタンとを有する。「のぞみ」、「かなえ」及び「たまえ」の各々は、ＴＯＫＯ工業の車種の例である。図６の画像は、上向きの矢印と、下向きの矢印とを更に有する。上向きの矢印及び下向きの矢印の各々は、図６において示されていない車種に対応するボタンを受付部７に表示させるための図形である。図６の画像は、「決定」という文言が記載されているボタンを更に有する。図６の画像に含まれている「決定」という文言が記載されているボタンは、複数の車種のうちのいずれかの選択をユーザに決定させるためのボタンである。
【００３８】
ユーザは、複数の車種のうちのいずれかの車種を示す文言が記載されているボタンを押下し、「決定」という文言が記載されているボタンを押下する。図６では、「のぞみ」という文言が記載されているボタンに斜線が付加されている。当該斜線は、「のぞみ」という文言が記載されているボタンが押下されたことを示している。受付部７は、複数の車種のうちのユーザによって押下されたボタンに記載されている車種を示す情報を受け付ける（Ｓ５）。図２では、ステップＳ５の動作は「車種の選択の受付」という文言で表現されている。受付部７によって受け付けられた車種を示す情報は、ユーザに入力される車種情報の一部である。
【００３９】
受付部７は、車種を示す情報を受け付けると、メーカを示す情報と車種を示す情報とを含む車種情報を記憶する（Ｓ６）。充放電装置１は、ステップＳ３又はステップＳ６の動作を行うことにより、充放電装置１に接続される電気自動車８１の種類を判別するための初期動作を終了する。更に言うと、充放電装置１は、ステップＳ６の動作を行うことにより、電気自動車８１の種類を判別する方法が電気自動車８１の種類を示す車種情報をユーザに入力させて入力された車種情報をもとに電気自動車８１の種類を判別する方法である場合の車種情報を記憶する動作を終了する。
【００４０】
次に、充放電装置１が電気自動車８１の種類を判別する方法を説明する。当該方法は、図２のステップＳ３又はステップＳ６の動作が行われた後に、充放電装置１がケーブル３及びコネクタ４によって電気自動車８１に接続されて、充放電装置１が蓄電池８１Ａを充電する前と蓄電池８１Ａに放電させる前とにおいて行われる。図７は、実施の形態１にかかる充放電装置１が電気自動車８１の種類を判別する動作の手順の例を示すフローチャートである。
【００４１】
装置側制御部５は、充放電装置１がケーブル３及びコネクタ４によって電気自動車８１に接続されているか否かを判断する（Ｓ１１）。装置側制御部５は、充放電装置１が電気自動車８１に接続されていないと判断した場合（Ｓ１１でＮｏ）、ステップＳ１１の動作を行う。充放電装置１が電気自動車８１に接続されていると装置側制御部５によって判断された場合（Ｓ１１でＹｅｓ）、装置側制御部５が有する自動判別部９は、通信線３Ｂを介して電気自動車８１が有する車側制御部８１Ｂと通信を行い、電気自動車８１の種類である車種を判別することができるか否かを判断する（Ｓ１２）。
【００４２】
自動判別部９は、電気自動車８１の種類を判別することができると判断した場合（Ｓ１２でＹｅｓ）、車側制御部８１Ｂと通信を行って電気自動車８１の車種情報を入手し、入手した車種情報と記憶部６に予め保存されている車種情報及び制御情報の少なくとも一部とをもとに、電気自動車８１の種類である車種を判別し（Ｓ１３）、判別された車種を選択する（Ｓ１４）。
【００４３】
自動判別部９が電気自動車８１の種類を判別することができないと判断した場合（Ｓ１２でＮｏ）、手動判別部１０は、受付部７によって受け付けられた車種情報が示す種類が電気自動車８１の種類であると判別し、受付部７によって受け付けられた車種情報が示す車種を選択する（Ｓ１５）。
【００４４】
＜効果＞
上述の通り、実施の形態１にかかる充放電装置１は、電気自動車８１と通信を行って電気自動車８１の車種情報を入手して入手した車種情報と記憶部６に予め保存されている車種情報及び制御情報の少なくとも一部とをもとに電気自動車８１の種類を判別する自動判別部９を有する。充放電装置１は、自動判別部９が電気自動車８１の種類を判別することができない場合、ユーザによって入力されて受付部７によって受け付けられた車種情報が示す種類が電気自動車８１の種類であると判別する手動判別部１０を更に有する。
【００４５】
したがって、充放電装置１は、接続された電気自動車８１と通信を行うことができない場合であっても、接続された電気自動車８１と通信を行うことができるものの電気自動車８１の種類を判別することができない場合であっても、手動判別部１０を有するので、接続された電気自動車８１の種類を判別することができる。すなわち、充放電装置１は、接続された電気自動車８１の種類を判別することができる。その結果、充放電装置１は、電気自動車８１が有する蓄電池８１Ａについての充電及び放電を適切に行うことができる。また、充放電装置１は、新しいサービスを提供することができる。
【００４６】
＜実施の形態１の変形例＞
上述の実施の形態１では、ユーザが車種情報を入力する場合、図４に示される通り、受付部７は、車種情報をユーザが入力するための画像である第２の画像を表示する。第２の画像は、記憶部６によって記憶されている情報をもとにする画像である。当該情報が最新の電気自動車に対応していない場合、ユーザは電気自動車８１の車種情報を受付部７に入力することができない。実施の形態１の変形例では、電気自動車８１は、記憶部６によって記憶されている情報に対応していないことを想定する。
【００４７】
実施の形態１の変形例では、受付部７が図３の第１の画像を表示した後に、ユーザは、「手動選択」という文言が記載されているボタンを押下し、「決定」という文言が記載されているボタンを押下する。受付部７は、ユーザが車種情報を入力するための画像を表示する。図８は、実施の形態１の変形例にかかる充放電装置の受付部７によって表示される第１の画像を示す図である。当該第１の画像は、実施の形態１の変形例において電気自動車８１に関連する情報をユーザが入力するための画像である。
【００４８】
図８の画像は、図４の画像に含まれているすべての構成要素に加えて、記憶部６によって記憶されている情報に対応していない電気自動車８１に関連する情報を入力させるための「新規登録」という文言が記載されているボタンを有する。上述の通り、実施の形態１の変形例では、電気自動車８１は記憶部６によって記憶されている情報に対応していない。そのため、ユーザは、「新規登録」という文言が記載されているボタンを押下し、「決定」という文言が記載されているボタンを押下する。図８では、「手動選択」という文言が記載されているボタンは斜線を有する。当該斜線は、「手動選択」という文言が記載されているボタンが押下されたことを示している。「新規登録」という文言が記載されているボタンも、斜線を有する。当該斜線は、「新規登録」という文言が記載されているボタンが押下されたことを示している。
【００４９】
「新規登録」という文言が記載されているボタンが押下されると、受付部７は、ユーザが電気自動車８１のメーカ及び種類の各々を示す情報を入力するための画像を表示する。図９は、実施の形態１の変形例にかかる充放電装置の受付部７によって表示される第２の画像を示す図である。当該第２の画像は、実施の形態１の変形例において電気自動車８１のメーカ及び種類の各々を示す情報をユーザが入力するための画像である。
【００５０】
図９の画像は、「車種の新規登録」という文言が記載されているフィールドと、「メーカ：」という文言が記載されているフィールドと、「車種：」という文言が記載されているフィールドと、「決定」という文言が記載されているボタンとを有する。「メーカ：」という文言が記載されているフィールドは、「メーカ：」という文言の右側に下線が引かれた空白部を有する。「車種：」という文言が記載されているフィールドは、「車種：」という文言の右側に下線が引かれた空白部を有する。
【００５１】
ユーザは、電気自動車８１のメーカの名称を「メーカ：」という文言が記載されているフィールドの空白部に入力し、電気自動車８１の車種の名称を「車種：」という文言が記載されているフィールドの空白部に入力し、「決定」という文言が記載されているボタンを押下する。受付部７は、図９の画像においてユーザが入力した情報を受け付けて記憶する。当該情報は、電気自動車８１の種類を示す車種情報である。
【００５２】
次に、受付部７は、電気自動車８１が有する蓄電池８１Ａについての充電及び放電の制御に関連する情報をユーザが入力するための画像を表示する。図１０は、実施の形態１の変形例にかかる充放電装置の受付部７によって表示される第３の画像を示す図である。当該第３の画像は、実施の形態１の変形例において電気自動車８１が有する蓄電池８１Ａについての充電及び放電の制御に関連する情報をユーザが入力するための画像である。
【００５３】
図１０の画像は、「新規登録車種の制御設定」という文言が記載されているフィールドと、「充電方式：普通充電」という文言が記載されているフィールドと、「充電電力：」という文言が記載されているフィールドと、「放電電力：」という文言が記載されているフィールドとを有する。「充電電力：」という文言が記載されているフィールドは、「充電電力：」という文言の右側に下線が引かれた空白部を有する。
【００５４】
「放電電力：」という文言が記載されているフィールドは、「放電電力：」という文言の右側に下線が引かれた空白部を有する。図１０の画像は、上向きの矢印と、下向きの矢印とを更に有する。上向きの矢印及び下向きの矢印の各々は、図１０において示されていないフィールドを受付部７に表示させるための図形である。図１０の画像は、「決定」という文言が記載されているボタンを更に有する。
【００５５】
ユーザは、例えば、充電電力を示す数値を「充電電力：」という文言が記載されているフィールドの空白部に入力し、放電電力を示す数値を「放電電力：」という文言が記載されているフィールドの空白部に入力し、「決定」という文言が記載されているボタンを押下する。受付部７は、図１０の画像においてユーザが入力した情報を受け付けて記憶する。当該情報は、電気自動車８１が有する蓄電池８１Ａについての充電及び放電を制御するための制御情報の例である。
【００５６】
手動判別部１０は、ユーザによって入力されて受付部７によって受け付けられた車種情報が示す種類が電気自動車８１の種類であると判別する。充放電制御部１１は、受付部７によって受け付けられた制御情報をもとに蓄電池８１Ａについての充電及び放電を制御する。したがって、実施の形態１の変形例にかかる充放電装置は、電気自動車８１が記憶部６によって記憶されている情報に対応していない場合であっても、手動判別部１０を有するので、接続された電気自動車８１の種類を判別することができる。加えて、当該充放電装置は、蓄電池８１Ａについての充電及び放電を適切に制御することができる。また、実施の形態１の変形例にかかる充放電装置は、新しいサービスを提供することができる。
【００５７】
実施の形態２．
図１１は、実施の形態２にかかる充放電装置１Ａの構成を示す図である。充放電装置１Ａは、実施の形態１にかかる充放電装置１が有するすべての構成要素を有する。実施の形態２では、実施の形態１との相違点を主に説明する。充放電装置１Ａは、通信網８５を介してサーバ８６と通信を行ってサーバ８６から車種情報及び制御情報を入手する通信部１２を更に有する。図１１には、電気自動車８１、商用系統８２、家庭内負荷８３、電力線８４、通信網８５及びサーバ８６も示されている。通信網８５の例は、インターネットである。サーバ８６は、充放電装置１Ａの外部に位置している。サーバ８６は、電気自動車８１と異なる情報蓄積装置の例であって、電気自動車８１の車種情報及び制御情報を記憶している。
【００５８】
記憶部６は、通信部１２によって入手された車種情報及び制御情報を保存する。車種判別部８は、電気自動車８１と通信を行って電気自動車の車種情報を入手して入手した車種情報と記憶部６に予め保存されている車種情報及び制御情報の少なくとも一部とをもとに、又は、通信部１２によって入手された車種情報及び制御情報をもとに、電気自動車８１の種類を判別する。
【００５９】
図１２は、実施の形態２にかかる充放電装置１Ａが電気自動車８１の種類を判別する動作の手順の例を示すフローチャートである。装置側制御部５は、充放電装置１Ａがケーブル３及びコネクタ４によって電気自動車８１に接続されているか否かを判断する（Ｓ２１）。装置側制御部５は、充放電装置１Ａが電気自動車８１に接続されていないと判断した場合（Ｓ２１でＮｏ）、ステップＳ２１の動作を行う。
【００６０】
充放電装置１Ａが電気自動車８１に接続されていると装置側制御部５によって判断された場合（Ｓ２１でＹｅｓ）、装置側制御部５が有する自動判別部９は、通信線３Ｂを介して電気自動車８１が有する車側制御部８１Ｂと通信を行い、記憶部６が予め記憶している情報を利用し、電気自動車８１の種類である車種を判別することができるか否かを判断する（Ｓ２２）。
【００６１】
自動判別部９は、電気自動車８１の種類を判別することができると判断した場合（Ｓ２２でＹｅｓ）、車側制御部８１Ｂと通信を行って電気自動車８１の車種情報を入手し、入手した車種情報と記憶部６に予め保存されている車種情報及び制御情報の少なくとも一部とをもとに、電気自動車８１の種類である車種を判別し（Ｓ２３）、判別された車種を選択する（Ｓ２４）。
【００６２】
自動判別部９が電気自動車８１の種類を判別することができないと判断した場合（Ｓ２２でＮｏ）、通信部１２は、通信網８５を介してサーバ８６と通信を行ってサーバ８６から電気自動車８１の車種情報及び制御情報を入手する（Ｓ２５）。記憶部６は、通信部１２によって入手された車種情報及び制御情報を記憶する。車種判別部８は、通信部１２によって入手された車種情報及び制御情報をもとに、電気自動車８１の種類である車種を判別することができるか否かを判断する（Ｓ２６）。車種判別部８は、車種を判別することができると判断した場合（Ｓ２６でＹｅｓ）、通信部１２によって入手された車種情報及び制御情報をもとに、電気自動車８１の種類である車種を判別し（Ｓ２７）、判別された車種を選択する（Ｓ２８）。
【００６３】
車種を判別することができないと車種判別部８によって判断された場合（Ｓ２６でＮｏ）、手動判別部１０は、受付部７によって受け付けられた車種情報が示す種類が電気自動車８１の種類であると判別し、受付部７によって受け付けられた車種情報が示す車種を選択する（Ｓ２９）。
【００６４】
上述の通り、実施の形態２にかかる充放電装置１Ａは、サーバ８６と通信を行ってサーバ８６から車種情報及び制御情報を入手し、入手した車種情報及び制御情報をもとに、電気自動車８１の種類を判別することができる。すなわち、充放電装置１Ａは、電気自動車８１が記憶部６によって記憶されている情報に対応していない場合であっても、サーバ８６から入手した車種情報及び制御情報をもとに、電気自動車８１の種類を判別することができる。更に言うと、充放電装置１Ａは、電気自動車８１が最新の車両であっても、サーバ８６から入手した車種情報及び制御情報をもとに、電気自動車８１の種類を判別することができる。
【００６５】
実施の形態３．
図１３は、実施の形態３にかかる充放電装置１Ｂの構成を示す図である。充放電装置１Ｂは、実施の形態２にかかる充放電装置１Ａが有するすべての構成要素のうちの装置側制御部５以外の構成要素を有する。実施の形態３では、実施の形態１及び実施の形態２との相違点を主に説明する。図１３には、電気自動車８１、商用系統８２、家庭内負荷８３、電力線８４、通信網８５及びサーバ８６も示されている。
【００６６】
充放電装置１Ｂは、装置側制御部５Ｂと、電気自動車８１の外観の画像情報を取得する画像取得部１３とを更に有する。例えば、画像取得部１３は、光学式のデジタルカメラによって実現される。装置側制御部５Ｂは、自動判別部９と、手動判別部１０と、画像取得部１３によって取得された画像情報をもとに電気自動車８１の種類を判別する車両認識部１４とを有する車種判別部８Ｂを有する。車種判別部８Ｂは、車両認識部１４によって判別された電気自動車８１の種類を示す情報も合わせて、電気自動車８１の種類を判別する。
【００６７】
次に、充放電装置１Ｂが電気自動車８１の種類を判別するための初期動作を説明する。充放電装置１Ｂの受付部７は、図３の画像を表示する。ユーザによって、「手動選択」という文言が記載されているボタンが押下され、「決定」という文言が記載されているボタンが押下されることを想定する。受付部７は、図１４の画像を表示する。図１４は、実施の形態３にかかる充放電装置１Ｂの受付部７によって表示されるひとつの画像を示す図である。当該画像は、電気自動車８１に関連する情報をユーザが入力するための画像である。図１４の画像が有する構成要素は、図８の画像が有する構成要素と同じである。図１４では、「手動選択」という文言が記載されているボタンは斜線を有する。当該斜線は、「手動選択」という文言が記載されているボタンが押下されたことを示している。
【００６８】
ユーザが、図１４の「新規登録」という文言が記載されているボタンを押下し、「決定」という文言が記載されているボタンを押下することを想定する。図１４では、「新規登録」という文言が記載されているボタンも斜線を有する。当該斜線は、「新規登録」という文言が記載されているボタンが押下されたことを示している。ユーザが、「新規登録」という文言が記載されているボタンを押下すると、受付部７は、図１５の画像を表示する。図１５は、実施の形態３にかかる充放電装置１Ｂの受付部７によって表示される別のひとつの画像を示す図である。
【００６９】
図１５の画像は、図９の画像が有するすべての構成要素に加えて、「車両の画像：「画像読込」」という文言が記載されているフィールドを有する。ユーザは、電気自動車８１の外観の画像情報を画像取得部１３に取得させようとする場合、当該フィールドを選択し、「決定」という文言が記載されているボタンを押下する。これにより、画像取得部１３は、電気自動車８１の外観の画像情報を取得する。
【００７０】
ユーザが、「車両の画像：「画像読込」」という文言が記載されているフィールドを選択したことを想定する。受付部７は、図１０の画像を表示する。図１０の画像は、電気自動車８１が有する蓄電池８１Ａについての充電及び放電の制御に関連する情報をユーザが入力するための画像である。実施の形態１の変形例で説明されたように、ユーザは、図１０の画像を用いて蓄電池８１Ａについての充電及び放電の制御に関連する情報を入力する。受付部７は、ユーザによって入力された情報を受け付けて記憶する。当該情報は、電気自動車８１が有する蓄電池８１Ａについての充電及び放電を制御するための制御情報の例である。
【００７１】
次に、充放電装置１Ｂが電気自動車８１の種類を判別する方法を説明する。図１６は、実施の形態３にかかる充放電装置１Ｂが電気自動車８１の種類を判別する動作の手順の例を示すフローチャートである。装置側制御部５Ｂは、充放電装置１Ｂがケーブル３及びコネクタ４によって電気自動車８１に接続されているか否かを判断する（Ｓ３１）。装置側制御部５Ｂは、充放電装置１Ｂが電気自動車８１に接続されていないと判断した場合（Ｓ３１でＮｏ）、ステップＳ３１の動作を行う。
【００７２】
充放電装置１Ｂが電気自動車８１に接続されていると装置側制御部５Ｂによって判断された場合（Ｓ３１でＹｅｓ）、画像取得部１３は、充放電装置１Ｂに接続されている電気自動車８１の外観の画像情報を取得する（Ｓ３２）。装置側制御部５Ｂが有する自動判別部９は、通信線３Ｂを介して電気自動車８１が有する車側制御部８１Ｂと通信を行い、記憶部６が予め記憶している情報を利用し、電気自動車８１の種類である車種を判別することができるか否かを判断する（Ｓ３３）。
【００７３】
自動判別部９は、電気自動車８１の種類を判別することができると判断した場合（Ｓ３３でＹｅｓ）、車側制御部８１Ｂと通信を行って電気自動車８１の車種情報を入手する。自動判別部９は、入手した車種情報と、記憶部６に予め保存されている車種情報及び制御情報の少なくとも一部と、画像取得部１３によって取得された画像情報とをもとに、電気自動車８１の種類である車種を判別し（Ｓ３４）、判別された車種を選択する（Ｓ３５）。
【００７４】
自動判別部９が電気自動車８１の種類を判別することができないと判断した場合（Ｓ３３でＮｏ）、通信部１２は、通信網８５を介してサーバ８６と通信を行ってサーバ８６から電気自動車８１の車種情報及び制御情報を入手する（Ｓ３６）。記憶部６は、通信部１２によって入手された車種情報及び制御情報を記憶する。車種判別部８Ｂは、通信部１２によって入手された車種情報及び制御情報と、画像取得部１３によって取得された画像情報とをもとに、電気自動車８１の種類である車種を判別することができるか否かを判断する（Ｓ３７）。車種判別部８Ｂは、車種を判別することができると判断した場合（Ｓ３７でＹｅｓ）、通信部１２によって入手された車種情報及び制御情報をもとに、電気自動車８１の種類である車種を判別し（Ｓ３８）、判別された車種を選択する（Ｓ３９）。
【００７５】
車種を判別することができないと車種判別部８Ｂによって判断された場合（Ｓ３７でＮｏ）、手動判別部１０は、受付部７によって受け付けられて記憶されている車種情報が示す種類が電気自動車８１の種類であると判別し、受付部７によって受け付けられた車種情報が示す車種を選択する（Ｓ４０）。
【００７６】
上述の通り、実施の形態３にかかる充放電装置１Ｂは、電気自動車８１の外観の画像情報を取得する画像取得部１３を有する。そのため、充放電装置１Ｂは、当該画像情報を用いることによっても電気自動車８１の種類を判別することができる。
【００７７】
図１７は、実施の形態１にかかる充放電装置１が有する装置側制御部５の少なくとも一部がプロセッサ９１によって実現される場合のプロセッサ９１を示す図である。つまり、装置側制御部５の少なくとも一部の機能は、メモリ９２に格納されるプログラムを実行するプロセッサ９１によって実現されてもよい。プロセッサ９１は、ＣＰＵ（Central  Processing  Unit）、処理装置、演算装置、マイクロプロセッサ、又はＤＳＰ（Digital  Signal  Processor）である。図１７には、メモリ９２も示されている。
【００７８】
装置側制御部５の少なくとも一部の機能がプロセッサ９１によって実現される場合、当該一部の機能は、プロセッサ９１と、ソフトウェア、ファームウェア、又は、ソフトウェア及びファームウェアとの組み合わせとにより実現される。ソフトウェア又はファームウェアは、プログラムとして記述され、メモリ９２に格納される。プロセッサ９１は、メモリ９２に記憶されたプログラムを読み出して実行することにより、装置側制御部５の少なくとも一部の機能を実現する。
【００７９】
装置側制御部５の少なくとも一部の機能がプロセッサ９１によって実現される場合、充放電装置１は、装置側制御部５によって実行されるステップの少なくとも一部が結果的に実行されることになるプログラムを格納するためのメモリ９２を有する。メモリ９２に格納されるプログラムは、装置側制御部５が実行する手順又は方法の少なくとも一部をコンピュータに実行させるものであるともいえる。
【００８０】
メモリ９２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性若しくは揮発性の半導体メモリ、磁気ディスク、フレキシブルディスク、光ディスク、コンパクトディスク、ミニディスク又はＤＶＤ（Digital  Versatile  Disk）等である。
【００８１】
図１８は、実施の形態１にかかる充放電装置１が有する装置側制御部５の少なくとも一部が処理回路９３によって実現される場合の処理回路９３を示す図である。つまり、装置側制御部５の少なくとも一部は、処理回路９３によって実現されてもよい。
【００８２】
処理回路９３は、専用のハードウェアである。処理回路９３は、例えば、単一回路、複合回路、プログラム化されたプロセッサ、並列プログラム化されたプロセッサ、ＡＳＩＣ（Application  Specific  Integrated  Circuit）、ＦＰＧＡ（Field-Programmable  Gate  Array）、又はこれらを組み合わせたものである。
【００８３】
装置側制御部５の一部は、残部とは別個の専用のハードウェアで実現されてもよい。
【００８４】
装置側制御部５の複数の機能について、当該複数の機能の一部がソフトウェア又はファームウェアで実現され、当該複数の機能の残部が専用のハードウェアで実現されてもよい。このように、装置側制御部５の複数の機能は、ハードウェア、ソフトウェア、ファームウェア、又はこれらの組み合わせによって実現することができる。
【００８５】
実施の形態３にかかる充放電装置１Ｂが有する装置側制御部５Ｂの少なくとも一部の機能は、メモリに格納されるプログラムを実行するプロセッサによって実現されてもよい。当該メモリは、装置側制御部５Ｂによって実行されるステップの少なくとも一部が結果的に実行されることになるプログラムを格納するためのメモリであって、メモリ９２と同様のメモリである。当該プロセッサは、プロセッサ９１と同様のプロセッサである。装置側制御部５Ｂの少なくとも一部の機能は、処理回路によって実現されてもよい。当該処理回路は、処理回路９３と同様の処理回路である。
【００８６】
実施の形態１から３までの受付部７の少なくとも一部の機能は、メモリに格納されるプログラムを実行するプロセッサによって実現されてもよい。当該メモリは、受付部７によって実行されるステップの少なくとも一部が結果的に実行されることになるプログラムを格納するためのメモリであって、メモリ９２と同様のメモリである。当該プロセッサは、プロセッサ９１と同様のプロセッサである。受付部７の少なくとも一部の機能は、処理回路によって実現されてもよい。当該処理回路は、処理回路９３と同様の処理回路である。
【００８７】
実施の形態２にかかる充放電装置１Ａが有する通信部１２の少なくとも一部の機能は、メモリに格納されるプログラムを実行するプロセッサによって実現されてもよい。当該メモリは、通信部１２によって実行されるステップの少なくとも一部が結果的に実行されることになるプログラムを格納するためのメモリであって、メモリ９２と同様のメモリである。当該プロセッサは、プロセッサ９１と同様のプロセッサである。通信部１２の少なくとも一部の機能は、処理回路によって実現されてもよい。当該処理回路は、処理回路９３と同様の処理回路である。
【００８８】
実施の形態３にかかる充放電装置１Ｂが有する画像取得部１３の少なくとも一部の機能は、メモリに格納されるプログラムを実行するプロセッサによって実現されてもよい。当該メモリは、画像取得部１３によって実行されるステップの少なくとも一部が結果的に実行されることになるプログラムを格納するためのメモリであって、メモリ９２と同様のメモリである。当該プロセッサは、プロセッサ９１と同様のプロセッサである。画像取得部１３の少なくとも一部の機能は、処理回路によって実現されてもよい。当該処理回路は、処理回路９３と同様の処理回路である。
【００８９】
実施の形態１から３までの電気自動車８１が有する車側制御部８１Ｂの少なくとも一部の機能は、メモリに格納されるプログラムを実行するプロセッサによって実現されてもよい。当該メモリは、車側制御部８１Ｂによって実行されるステップの少なくとも一部が結果的に実行されることになるプログラムを格納するためのメモリであって、メモリ９２と同様のメモリである。当該プロセッサは、プロセッサ９１と同様のプロセッサである。車側制御部８１Ｂの少なくとも一部の機能は、処理回路によって実現されてもよい。当該処理回路は、処理回路９３と同様の処理回路である。
【００９０】
以上の実施の形態に示した構成は、一例を示すものであり、別の公知の技術と組み合わせることも可能であるし、実施の形態同士を組み合わせることも可能であるし、要旨を逸脱しない範囲で、構成の一部を省略又は変更することも可能である。
【符号の説明】
【００９１】
１，１Ａ，１Ｂ  充放電装置、２  電力変換部、３  ケーブル、３Ａ  電力線、３Ｂ  通信線、４  コネクタ、５，５Ｂ  装置側制御部、６  記憶部、７  受付部、８，８Ｂ  車種判別部、９  自動判別部、１０  手動判別部、１１  充放電制御部、１２  通信部、１３  画像取得部、１４  車両認識部、８１  電気自動車、８１Ａ  蓄電池、８１Ｂ  車側制御部、８２  商用系統、８３  家庭内負荷、８４  電力線、８５  通信網、８６  サーバ、９１  プロセッサ、９２  メモリ、９３  処理回路。
【要約】
充放電装置（１）は、電気自動車（８１）の種類を示す車種情報と電気自動車（８１）が有する蓄電池（８１Ａ）についての充電及び放電を制御するための制御情報とを保存する記憶部（６）と、車種情報を受け付ける機能を有する受付部（７）と、車種判別部（８）とを有する。車種判別部（８）は、電気自動車（８１）と通信を行って電気自動車（８１）の車種情報を入手して入手した車種情報と記憶部（６）に予め保存されている車種情報及び制御情報の少なくとも一部とをもとに電気自動車（８１）の種類を判別する自動判別部（９）と、自動判別部（９）が電気自動車（８１）の種類を判別することができない場合に受付部（７）によって受け付けられた車種情報が示す種類が電気自動車（８１）の種類であると判別する手動判別部（１０）とを有する。充放電装置（１）は、蓄電池（８１Ａ）についての充電及び放電を制御する充放電制御部（１１）を更に有する。【図１】
0006821107.tif 000002
【図２】
0006821107.tif 000003
【図３】
0006821107.tif 000004
【図４】
0006821107.tif 000005
【図５】
0006821107.tif 000006
【図６】
0006821107.tif 000007
【図７】
0006821107.tif 000008
【図８】
0006821107.tif 000009
【図９】
0006821107.tif 000010
【図１０】
0006821107.tif 000011
【図１１】
0006821107.tif 000012
【図１２】
0006821107.tif 000013
【図１３】
0006821107.tif 000014
【図１４】
0006821107.tif 000015
【図１５】
0006821107.tif 000016
【図１６】
0006821107.tif 000017
【図１７】
0006821107.tif 000018
【図１８】
0006821107.tif 000019